【手続補正書】
【提出日】平成25年10月16日(2013.10.16)
【手続補正１】
【補正対象書類名】明細書
【補正対象項目名】００２３
【補正方法】変更
【補正の内容】
【００２３】
制御部４０は、映像信号Ｓdisp3に基づいて、表示駆動部５０、バックライト駆動部４２、およびバリア駆動部４１がお互いに同期して動作するように制御する回路である。具体的には、制御部４０は、後述するように、立体表示装置１が立体視映像を表示する場合において、映像信号Ｓdisp3に基づいて、映像信号ＳＡ，ＳＢを表示駆動部５０に対して供給するとともに、バックライト駆動部４２に対してバックライト制御信号ＣＢＬを供給し、バリア駆動部４１に対してバリア制御信号ＣＢＲを供給することにより、これらを制御するようになっている。
【手続補正２】
【補正対象書類名】明細書
【補正対象項目名】００２９
【補正方法】変更
【補正の内容】
【００２９】
図３は、補間処理部４６における補間処理を模式的に表すものであり、（Ａ）は補間処理前の映像を示し、（Ｂ）は補間処理後の映像を示す。補間処理部４６では、時間的に隣接するフレーム画像Ｅの画素情報に基づいて、補間画像生成部４８が補間フレーム画像Ｅｉを生成し、それらのフレーム画像Ｅの間にその補間フレーム画像Ｅｉを挿入することにより、一連のフレーム画像Ｆが生成される。この補間処理により、例えば、図３（Ａ）に示したように、ボール９がフレームの左から右へ移動する映像の場合では、図３（Ｂ）に示したように、ボール９がより滑らかに左から右へ移動するようになる。
【手続補正３】
【補正対象書類名】明細書
【補正対象項目名】００５６
【補正方法】変更
【補正の内容】
【００５６】
複合処理部４７は、フレーム画像Ｆ１〜Ｆ６における偶数列の画素情報（例えばＰ１（０，ｎ），Ｐ１（２，ｎ）など）に基づいて複合フレーム画像ＦＡを生成する（図１１（Ａ））。複合処理部４７は、これらの画素情報を複合フレーム画像ＦＡに配置する際、横方向にフレーム画像Ｆ１〜Ｆ６間で巡回するように画素情報を配列する。具体的には、複合処理部４７は、複合フレーム画像ＦＡにおいて、図１１（Ａ）に示したように、複合フレーム画像ＦＡの左から右に向かって、フレーム画像Ｆ１〜Ｆ６の０列目（偶数列）の画素情報をＰ１（０，ｎ），Ｐ２（０，ｎ），…，Ｐ６（０，ｎ）のように配置し、続いて２列目（偶数列）の画素情報をＰ１（２，ｎ），Ｐ２（２，ｎ），…，Ｐ６（２，ｎ）のように続いて配置する。
【手続補正４】
【補正対象書類名】明細書
【補正対象項目名】００５７
【補正方法】変更
【補正の内容】
【００５７】
同様に、複合処理部４７は、フレーム画像Ｆ１〜Ｆ６における奇数列の画素情報（例えばＰ１（１，ｎ），Ｐ１（３，ｎ）など）に基づいて複合フレーム画像ＦＢを生成する（図１１（Ｂ））。複合処理部４７は、これらの画素情報を複合フレーム画像ＦＢに配置する際、横方向にフレーム画像Ｆ１〜Ｆ６間で巡回するように画素情報を配列する。その際、複合処理部４７は、複合フレーム画像ＦＢにダミーの画素情報を３列分配置する。具体的には、複合処理部４７は、複合フレーム画像ＦＢにおいて、図１１（Ｂ）に示したように、複合フレーム画像ＦＢの左から右に向かって、まず、ダミーの画素情報Ｐ４（−１，ｎ），Ｐ５（−１，ｎ），Ｐ６（−１，ｎ）を配置した後、フレーム画像Ｆ１〜Ｆ６の１列目（奇数列）の画素情報を画素情報Ｐ１（１，ｎ），Ｐ２（１，ｎ），…，Ｐ６（１，ｎ）のように配置し、続いて３列目（奇数列）の画素情報をＰ１（３，ｎ），Ｐ２（３，ｎ），…，Ｐ６（３，ｎ）のように続いて配置する。すなわち、複合フレーム画像ＦＡにおける画素情報Ｐ１〜Ｐ６の配置と、複合フレーム画像ＦＡにおける画素情報Ｐ１〜Ｐ６の配置とは、互いにずれたものとなっている。なお、ダミーの画素情報は、例えば、黒色の情報を使用可能である。また、例えば、近くに配置された画素の画素情報に基づいて補間などにより生成するようにしてもよい。
【手続補正５】
【補正対象書類名】明細書
【補正対象項目名】００６０
【補正方法】変更
【補正の内容】
【００６０】
映像信号ＳＡが供給された場合には、図１２（Ａ），図１３（Ａ）に示したように、表示部２０の画素Ｐｉｘのそれぞれは、映像信号ＳＡに含まれる６つの視点映像のそれぞれに対応する画素情報Ｐ１〜Ｐ６を表示する。このとき、画素情報Ｐ１〜Ｐ６は、開閉部１２Ａ（バリア開放領域２１Ａ）付近に配置された画素Ｐｉｘにそれぞれ表示される。映像信号ＳＡが供給された場合には、液晶バリア１０では、開閉部１２Ａが開状態（透過状態）になるとともに、開閉部１２Ｂが閉状態になるように制御されている。表示部２０の各画素Ｐｉｘから出た光は、開閉部１２Ａによりそれぞれ角度が制限されて出力される。観察者は、例えば左眼で画素情報Ｐ３を、右眼で画素情報Ｐ４を見ることにより、立体的な映像を見ることができる。
【手続補正６】
【補正対象書類名】明細書
【補正対象項目名】００９３
【補正方法】変更
【補正の内容】
【００９３】
図１９は、表示部２０における区域Ｚ１，Ｚ２を表すものである。この区域Ｚ１，Ｚ２は、液晶バリア６０における区域Ｚ１，Ｚ２に対応する位置に設けられている。これにより、バックライト３０から射出した光は、表示部２０の区域Ｚ１を介して液晶バリア１０の区域Ｚ１に入射し、表示部２０の区域Ｚ２を介して液晶バリア６０の区域Ｚ２に入射する。
【手続補正７】
【補正対象書類名】明細書
【補正対象項目名】００９９
【補正方法】変更
【補正の内容】
【００９９】
まず、複合画像生成部６５は、図２１に示したように、映像信号Ｓdispに基づいて、タイミングｔ１１に係る、映像信号ＳＡの複合フレーム画像ＦＡ（ｔ１１）を生成する。具体的には、補間処理部６６は、映像信号Ｓdispに含まれるフレーム画像Ｅ１（ｔ１１）〜Ｅ６（ｔ１１）をフレーム画像Ｆ１（ｔ１１）〜Ｆ６（ｔ１１）として複合処理部４７に供給する。そして、複合処理部４７は、補間処理部６６から供給されたフレーム画像Ｆ１（ｔ１１）〜Ｆ６（ｔ１１）に基づいて、映像信号ＳＡを構成する複合フレーム画像ＦＡ（ｔ１１）を生成する。
【手続補正８】
【補正対象書類名】明細書
【補正対象項目名】０１００
【補正方法】変更
【補正の内容】
【０１００】
そして、複合画像生成部６５は、図２１に示したように、映像信号Ｓdispに基づいて、タイミングｔ１２に係る、映像信号ＳＡの複合フレーム画像ＦＡ（ｔ１２）を生成する。具体的には、補間処理部６６の補間画像生成部６８は、映像信号Ｓdispに含まれるフレーム画像Ｅ１（ｔ１１）〜Ｅ６（ｔ１１）およびフレーム画像Ｅ１（ｔ１５）〜Ｅ６（ｔ１５）に基づいて、補間処理によりＦ１（ｔ１２）〜Ｆ６（ｔ１２）（図示せず）を生成する。そして、複合処理部４７は、補間処理部６６から供給されたフレーム画像Ｆ１（ｔ１２）〜Ｆ６（ｔ１２）に基づいて、映像信号ＳＡを構成する複合フレーム画像ＦＡ（ｔ１２）を生成する。
【手続補正９】
【補正対象書類名】明細書
【補正対象項目名】０１０６
【補正方法】変更
【補正の内容】
【０１０６】
以上の動作を繰り返すことにより、立体表示装置２は、映像信号Ｓdispに基づいて補間処理により複合フレーム画像ＦＡ，ＦＢを生成し、映像信号ＳＡ（複合フレーム画像ＦＡ）に基づく表示（開閉部６２Ａにおける表示）と、映像信号ＳＢ（複合フレーム画像ＦＢ）に基づく表示（開閉部６２Ｂにおける表示）とを交互に繰り返して行う。